(57)【要約】【課題】本発明は一種の受動光ネットワーク（ＰＯＮ）システムで記憶機能を実現する方法とその装置を提供する。【解決手段】データの持つＬＩＮＫ  ＩＤに基づいて、光ネットワーク・ユニットに送った全てのデータ中の記憶必要なデータ、例えば視聴データ、大容量データ・パッケージ等広いバンド幅を占用するデータを決める。そしてこの記憶必要なデータを前記光ネットワーク・ユニットに設置された記憶装置に記憶する。ユーザーが記憶装置中に記憶されたデータをリクエストした場合、ＩＰＴＶサーバーとコア・ネットワークを通して再びこのデータをリクエストして送る必要が無く、記憶されたデータは直接ユーザーに転送される。これによって、データの重複転送を避け、特に視聴データ、大容量データ・パッケージ等の比較的広いバンド幅を占用するデータの重複転送を避け、下りの広いバンド幅の利用率を向上させ、流量の渋滞とデータの遅延を減らす事が出来る。【選択図】図１
2007274684.tif 000002
【特許請求の範囲】
【請求項１】
受動光ネットワークＰＯＮシステムに光ディストリビューション・ネットワークＯＤＮ、光ライン・ターミナルＯＬＴ、及び少なくとも１個の光ネットワーク・ユニットＯＮＵを含む一種の受動光ネットワーク・システムで記憶機能を実現する方法であって、
少なくとも、データ内に有る全てのＬＩＮＫ  ＩＤに基づいて、光ネットワーク・ユニットへ送った全てのデータの中から記憶必要なデータを決めるデータ決定ステップ、及び前記記憶必要なデータを前記光ネットワーク・ユニットに設置された記憶装置に記憶する記憶ステップを含むことを特徴とする、一種の受動光ネットワーク・システムで記憶機能を実現する方法。
【請求項２】
前記データ決定ステップ中の記憶必要なデータにはＩＰアドレス及び／或いはポート・ナンバーのデータに基づいて視聴データとして判断されたデータを含むことを特徴とする請求項１に記載の受動光ネットワーク・システムで記憶機能を実現する方法。
【請求項３】
前記データ決定ステップには更に、転送して来た全てのデータ中に、データの持つＬＩＮＫ  ＩＤに基づいて当面光ネットワーク・ユニットが受け取れるデータを選択するＩＤフィルター・ステップ、及び前記ＩＤフィルター・ステップで選ばれたデータが記憶必要と決められた場合、それを前記記憶装置に記憶し、当面光ネットワーク・ユニットに接続されたユーザーが既に前記記憶装置に記憶されたデータをリクエストした場合、記憶したデータを前記ユーザーに送るコントロール・ステップ等が含まれることを特徴とする請求項１に記載の受動光ネットワーク・システムで記憶機能を実現する方法。
【請求項４】
前記コントロール・ステップ中には、保存されたユーザーのリクエスト情報から成るユーザー・リクエスト・リストの検査を通して、当面光ネットワーク・ユニットに接続されたユーザー・リクエスト・データが記憶必要であるか否かを判断し、且つ保存された前記記憶装置中の情報データ・リストの検査を通してユーザー・リクエスト・データが既に前記記憶装置中に有るか否かを決めることを特徴とする請求項３に記載の受動光ネットワーク・システムで記憶機能を実現する方法。
【請求項５】
前記データ決定ステップ中には、更にＭＬＤ／ＩＧＭＰ聴取者管理ステップが含まれ、前記ＩＤフィルター・ステップで選ばれたデータがグループ放送のＬＩＮＫ  ＩＤを有する場合、当面の光ネットワーク・ユニットが前記データのグループ放送のグループに属するか否かを判断し、又前記コントロール・ステップ中には、前記グループ放送のグループに属さず且つ前記データが記憶必要なデータである場合、このデータを前記記憶装置に記憶させ、そして前記グループ放送のグループに属し且つ前記データが記憶必要、或いは前記ＩＤフィルター・ステップで選ばれたデータが単１放送のＬＩＮＫ  ＩＤを有する記憶必要データであれば、前記ユーザー・リクエスト・リストの検査を通して、接続した当面の光ネットワーク・ユニットのユーザーがこのデータに対するリクエストを発送したか否かを判断し、該データに対するリクエストがまだ送られていない場合はこのデータを記憶し、該データに対するリクエストが送られたらこのデータは記憶せず直接前記ユーザーへ送り、且つ前記ユーザーのリクエスト・リストを更新し、前記記憶装置にデータが記憶された場合は、前記データ記憶リストを更新することを特徴とする請求項４に記載の受動光ネットワーク・システムで記憶機能を実現する方法。
【請求項６】
更に権利鑑定ステップを含み、光ライン・ターミナル及び／或いは光ネットワーク・ユニットに、リクエストを送ったユーザーが合法であるか否かを判断し、ユーザーが非合法であると判断された場合は、当面の光ネットワーク・システムへのこのユーザーの接続を禁止することを特徴とする請求項５に記載の受動光ネットワーク・システムで記憶機能を実現する方法。
【請求項７】
更にグループ放送のＬＩＮＫ  ＩＤ分配ステップを含み、前記光ライン・ターミナルに、記憶必要のデータにグループ放送のＬＩＮＫ  ＩＤを分配し、且つ放送方式で全ての光ネットワーク・ユニットに前記記憶必要のデータを送ることを特徴とする請求項１乃至６のいずれか１項に記載の受動光ネットワーク・システムで記憶機能を実現する方法。
【請求項８】
前記グループ放送のＬＩＮＫ  ＩＤ分配ステップに更に視聴データ決定ステップを含み、データに基づくＩＰアドレス及び／或いはポート・ナンバーが視聴データで有るか否かを判断し、記憶必要なデータを決めることを特徴とする請求項７に記載の受動光ネットワーク・システムで記憶機能を実現する方法。
【請求項９】
一種の受動光ネットワーク・システム中の光ネットワーク・ユニットであって、
前記受動光ネットワークＰＯＮシステムは、光ディストリビューション・ネットワークＯＤＮ、光ライン・ターミナルＯＬＴ、及び少なくとも１個の光ネットワーク・ユニットＯＮＵを含み、前記光ネットワーク・ユニット中の少なくとも１個の光ネットワーク・ユニットは、データ内に有るＬＩＮＫ  ＩＤに基づき、光ネットワーク・ユニットへ送った全てのデータの中から記憶必要なデータを決めるデータ決定ユニット、及び前記データ決定ユニットで決められた記憶必要なデータを記憶させる記憶装置を含むことを特徴とする、一種の受動光ネットワーク・システム中の光ネットワーク・ユニット。
【請求項１０】
前記記憶必要なデータは視聴データを含み、データのＩＰアドレス及び／或いはポート・ナンバーに基づいて視聴データで有るか否かを判断して決めることを特徴とする、請求項９に記載の前記受動光ネットワーク・システム中の光ネットワーク・ユニット。
【請求項１１】
前記データ決定ユニットは、転送して来た全てのデータ中に、データの持つＬＩＮＫ  ＩＤに基づいて当面光ネットワーク・ユニットの受け取れるデータを選択するＩＤフィルター・モジュール、及び前記ＩＤフィルター・モジュールで選ばれたデータが記憶必要と決められた場合、該データを前記記憶装置に記憶し、当面光ネットワーク・ユニットに接続されたユーザーが既に前記記憶装置に記憶されたデータをリクエストした場合、記憶したデータを前記ユーザーに送るコントロール・モジュールを含むことを特徴とする請求項９に記載の前記受動光ネットワーク・システム中の光ネットワーク・ユニット。
【請求項１２】
コントロール・モジュールは、ユーザー・リクエスト・リストとデータ記憶リストを含み、前記ユーザー・リクエスト・リストにはユーザーのリクエスト情報が記憶され、データ記憶リストには記憶装置に記憶されたデータ情報が保存され、前記データ記憶リストの検査を通してユーザーのリクエストされたデータが既に記憶装置に記憶されているか否かを決めることを特徴とする請求項１１に記載の前記受動光ネットワーク・システム中の光ネットワーク・ユニット。
【請求項１３】
前記データ決定ユニットには更にＭＬＤ／ＩＧＭＰ聴取者管理モジュールが含まれ、前記ＩＤフィルター・モジュールで選ばれたデータがグループ放送のＬＩＮＫ  ＩＤを有する場合、当面の光ネットワーク・ユニットが前記データのグループ放送のグループに属するか否かを判断し、前記グループ放送のグループに属しない場合且つ前記データが記憶必要の際は、データを記憶装置に記憶し、又前記グループ放送のグループに属し且つ前記データが記憶必要なデータである場合、或いは前記ＩＤフィルター・モジュールで選ばれたデータが単１放送のＬＩＮＫ  ＩＤを有する記憶必要のデータであれば、前記ユーザー・リクエスト・リストの検査を通して、接続した当面の光ネットワーク・ユニットのユーザーがこのデータに対するリクエストを送ったか否かを判断し、該データに対するリクエストがまだ送られていない場合はこのデータを記憶し、該データに対するリクエストが送られたらこのデータは記憶せず直接前記ユーザーへ送り、且つ前記ユーザー・リクエスト・リストを更新し、前記記憶装置に記憶された場合は、前記データ記憶リストを更新することを特徴とする請求項１２に記載の前記受動光ネットワーク・システム中の光ネットワーク。
【請求項１４】
更に権利鑑定モジュールが含まれ、これを以ってユーザーが合法であるか否かを判断し、ユーザーが非合法であると判断された場合は、当面の光ネットワーク・システムへのこのユーザーの接続を禁止する特徴とする請求項１３に記載の前記受動光ネットワーク・システム中の光ネットワーク・ユニット。
【請求項１５】
一種の受動光ネットワーク・システムであって、その中の前記受動光ネットワークＰＯＮシステムには光ディストリビューション・ネットワークＯＤＮ，光ライン・ターミナルＯＬＴ、及び少なくとも１個の光ネットワーク・ユニットＯＮＵ等が含まれ、前記光ライン・ターミナルには記憶必要のデータにグループ放送のＬＩＮＫ  ＩＤを分配するグループ放送ＬＩＮＫ  ＩＤ分配モジュールがあり、且つ放送方式で全ての光ネットワーク・ユニットに前記記憶必要のデータを送る、前記光ネットワーク・ユニット中の少なくとも１個の光ネットワーク・ユニットには、データ内に有るＬＩＮＫ  ＩＤに基づき、光ネットワーク・ユニットへ送る全てのデータの中から記憶必要なデータを決めるデータ決定ユニット、及び前記データ決定ユニットから決められた記憶必要なデータを記憶する記憶装置を含むことを特徴とする、一種の受動光ネットワーク・システム。
【請求項１６】
前記記憶必要のデータには視聴データが含まれ、前記光ライン・ターミナルには更に視聴データ決定モジュールが含まれ、これを以ってデータに基づいたＩＰアドレス及び／或いはポート・ナンバーからこのデータが視聴データで有るか否かを判断することを特徴とする請求項１５に記載の前記受動光ネットワーク・システム。
【請求項１７】
一種の光ディストリビューション・ネットワークＯＤＮと光ライン・ターミナルＯＬＴを含む受動光ネットワーク・システムＰＯＮ中の光ネットワーク・ユニットであって、
前記光ネットワーク・ユニットは、前記光ライン・ターミナルからデータを受け取るＯＤＮインタフェース、及び受け取ったデータからＬＩＮＫ  ＩＤを検査するＯＮＵデータ処理モジュール、及びユーザーにデータを送るユーザー端末を含み、更に受け取ったデータを記憶する記憶装置を含み、前記ＯＮＵデータ処理モジュールは表示と前記記憶装置に記憶するデータに対応するＬＩＮＫ  ＩＤの情報に基づいて、前記受け取ったデータの中に記憶必要のデータを確認し、前記記憶装置は前記ＯＮＵデータ処理モジュールで確認されたデータを記憶し、ユーザーからデータを送るリクエストが有る場合は、前記ユーザー端末は前記記憶されたデータを送ることを特徴とする、光ネットワーク・ユニット。
【請求項１８】
一種の光ディストリビューション・ネットワークＯＤＮと光ライン・ターミナルＯＬＴを含む受動光ネットワーク・システムＰＯＮ中の光ネットワーク・ユニットであり、
前記光ネットワーク・ユニットはメモリ、及び前記光ライン・ターミナルからデータを受け取るＯＤＮインタフェース、及び受け取ったデータからＬＩＮＫ  ＩＤを検査処理するＯＮＵデータ処理モジュール、及びユーザーにデータを送るユーザー端末を含み、更に受け取ったデータを記憶する記憶装置を含み、前記ＯＮＵデータ処理モジュールは表示と前記記憶装置に記憶するデータに対応したＬＩＮＫ  ＩＤ  の情報を基に、前記受け取ったデータの中に記憶必要のデータを確認し、前記記憶装置は前記ＯＮＵデータ処理モジュールで確認されたデータを記憶し、前記メモリは前記記憶装置に記憶されたデータ・リストを有し、ユーザーからデータ送信リクエストが有る場合、前記ユーザー端末は前記リストに基づいて前記記憶されたデータを送ることを特徴とする光ネットワーク・ユニット。
【発明の詳細な説明】
【技術分野】
【０００１】
本発明は一種の受動光ネットワーク・システムで記憶機能を実現する方法と設備に関わるものであり、具体的に言えば受動光ネットワーク・システム中の光ネットワーク・ユニットに設置された記憶装置を利用して例えば視聴データ等の比較的広いバンド幅を占用するデータを記憶し、且つ前記記憶装置に記憶されたデータをユーザーに転送する。
【背景技術】
【０００２】
受動光ネットワーク（ＰＯＮ：Ｐａｓｓｉｖｅ  Ｏｐｔｉｃａｌ  Ｎｅｔｗｏｒｋ  ）は長距離、広いバンド幅、低コスト等のメリットがある為、既にネットに接続するエンド・ユーザーの一種の最も有効な方法として用いられている。受動光ネットワーク・システムはツリー型等の多種の拡張構造を持つ。図１２は現有技術の基本的な受動光ネットワークの構造図を表す。図１２に示す如く、ＰＯＮシステムには光ライン・ターミナル（ＯＬＴ：Ｏｐｔｉｃａｌ  Ｌｉｎｅ  Ｔｅｒｍｉｎａｌ）１００，及び光ディストリビューション・ネットワーク（ＯＤＮ：Ｏｐｔｉｃａｌ  Ｄｉｓｔｒｉｂｕｔｉｏｎ  Ｎｅｔｗｏｒｋ）１２０及び多数個の光ネットワーク・ユニット（ＯＮＵ：Ｏｐｔｉｃａｌ  Ｎｅｔｗｏｒｋ  Ｕｎｉｔ）１４０等が含まれ、エンド・ユーザー１５０とコア・ネットワーク１０２の間に音声、視聴等の業務を提供する事が出来る。
【０００３】
ＩＴＵ−ＴＧ．９８３基準はＰＯＮシステムに点から多数点へ拡張する構造を持たせる事を推薦し、ＯＬＴと複数個のＯＮＵの間に受動光ディストリビューション・ネットワークを通す、例えば受動光分岐器に接続する。ＰＯＮシステム中の上り下り方向のデータ転送は異なる転送方法を用い、下り方向即ちＯＬＴから各ＯＮＵ方向へは放送方式を用い、通常下り方向即ち各ＯＬＴからＯＮＵ方向へのバンド幅の分配に対し何ら制限が無い、だが上り方向のＯＮＵからＯＬＴへは、バンド幅の分配に対し衝突と渋滞を防ぐため分配が必要となる。
【０００４】
図１２に示す如く、ＯＬＴ１００からＯＮＵ１４０の下り方向のデータはＯＤＮ１２０中の光分岐器１０９を通して放送方式で下り方向の各ＯＮＵへ転送される。その後各ＯＮＵは元データの解析を通して自己データに属するデータを受け取る。
【０００５】
実際の応用過程において、ＰＯＮシステムの下り方向の下りバンド幅は一般には１５５．５２０Ｍｂｐｓ，６２２．０８Ｍｂｐｓ，１．２５Ｇｂｐｓ，２．４Ｇｂｐｓ等非常に限られた事が分かった。下り方向に対するバンド幅の分配に対し制限が無い為、下りバンド幅は全てのＯＮＵに共有され、この為、このシステムの下りの流量が非常に大きくなり、流量の渋滞とデータの遅延等の問題が存在する。通常、下りバンド幅の大部分がインタネット・プロトコール・テレビジヨン（ＩＰＴＶ：Ｉｎｔｅｒｎｅｔ  Ｐｒｏｔｏｃｏｌ  Ｔｅｌｅｖｉｓｉｏｎ）等の視聴業務に占用され、特にＩＰＴＶグループ放送業務が著しい。異なる時刻に同じ視聴内容を異なるＯＮＵのユーザーに転送する事は、全体のネットワークから言えば一種のバンド幅の浪費と言える。
【０００６】
前記問題を解決する為、特許文献ＵＳ５，５５０、５７７Ａ中に一種の方法が提示された、即ち視聴データはコア・ネットワークと接続ネット間に設置された当地分布式視聴サーバーに記憶される。具体的に言えば、１個の視聴点放送ネットワーク（ＶＯＤＮ）はユーザーから送ったコントロール信号に基づいてユーザーに視聴情報を転送する。視聴情報の重複費用を減らす為、この視聴点放送ネットワークはセントラル視聴サーバーに１個の非常に大きい視聴データベースを維持する必要があり、且つ当地分布式の視聴サーバーに比較的流行した視聴データを記憶し、この様にすれば当地分布式の視聴サーバーはユーザーに直接視聴情報を提供する事が出来る。
【０００７】
しかし、特許文献ＵＳ５，５５０、５７７Ａ中に提示された方法は、下りバンド幅中のコア・ネットワーク部分のバンド幅の浪費問題を解決できるのみであり、下りバンド幅中のＰＯＮ等の接続ネット部分のバンド幅の浪費問題を解決する事は出来ない。
【０００８】
当面、ＰＯＮシステムには以下の問題が存在する。
（１）単１放送の視聴データ、大きなデータ・パッケージ等の比較的広いバンド幅を占用するデータをＰＯＮシステムで転送する場合は、所定のＯＮＵのユーザーに限って受け取る事が出来る。異なるＯＮＵのユーザーが同じデータを必要とする場合は、このデータはＩＰＴＶサーバーから送り出し、全体のＰＯＮシステムを経てユーザーに届ける、この様になれば同じデータが多数回ＰＯＮシステムの下りバンド幅を占用する事になり、全体のネットワークに対し、一種の重大なバンド幅資源の浪費になる。
（２）グループ放送方式の転送に対する視聴データは比較的広いバンド幅を占め、異なるＯＮＵユーザーは同一時間にのみこのデータを受け取る事が出来るもので、異なる時刻にこのデータを見る事は出来ない（例えば視聴番組を見る）。言換えれば、若し異なるＯＮＵユーザーが異なる時刻に同じ番組を見たい場合、ＩＰＴＶサーバーに多数回アクセスする必要がある、且つ多数回下りのバンド幅を占用する事に成り、バンド幅資源の重大な浪費になる。
【発明の開示】
【発明が解決しようとする課題】
【０００９】
上記問題を鑑み本発明が提出された、本発明の目的は一種のＰＯＮシステムにデータを記憶させる実現方法を提供することにあり、ＰＯＮシステム中のＯＮＵ，及びＰＯＮシステムは出来る限りデータの重複転送を避け、特に視聴データ、大きいデータ・パッケージ等の比較的広いバンド幅を占用するデータの重複転送を避け、下りバンド幅の利用率を向上させ、情報流量の渋滞とデータの遅延を減らす事が出来る。
【００１０】
上記目的を実現する為、本発明は受動光ネットワーク・システムにデータを記憶させる方法を考案し、その中の前記受動光ネットワークＰＯＮシステムにはディストリビューション・ネットワークＯＤＮ，光ライン・ターミナルＯＬＴ、及び少なくとも１個の光ネットワーク・ユニットＯＮＵ等が含まれ、それには少なくともデータ内に有る全てのＬＩＮＫ  ＩＤに基づき、光ネットワーク・ユニットへ送った全てのデータの中から記憶必要なデータを決めるデータ決定ステップ、及び前記記憶必要なデータを前記光ネットワーク・ユニットに設置された記憶装置に記憶させる記憶ステップ等が含まれる。その中の前記データ決定ステップ中の、前記記憶必要なデータはデータのＩＰアドレス／或いはポート・ナンバーに基づいて視聴データとして判断されたデータが含まれる。
【００１１】
本発明は受動光ネットワーク・システム中の光ネットワーク・ユニットであり、その中の前記受動光ネットワークＰＯＮシステムにはディストリビューション・ネットワークＯＤＮ，光ライン・ターミナルＯＬＴ、及び少なくとも１個の光ネットワーク・ユニットＯＮＵ等が含まれ、前記光ネットワーク・ユニット中の少なくとも１個の光ネットワーク・ユニットにデータ内に有る全てのＬＩＮＫ  ＩＤに基づき、光ネットワーク・ユニットへ送った全てのデータの中から記憶必要なデータを決めるデータ決定ユニット、及び前記データ決定ユニットで選択決定された記憶必要なデータを記憶する記憶装置等が含まれる。前記記憶必要なデータは、視聴データが含まれ、ＩＰアドレス／或いはポート・ナンバーに基づいて該データが視聴データであるか否かが判断される。
【００１２】
本発明の受動光ネットワーク・システムにおいて、光ネットワークＰＯＮシステムにはディストリビューション・ネットワークＯＤＮ，光ライン・ターミナルＯＬＴ、及び少なくとも１個の光ネットワーク・ユニットＯＮＵ等が含まれ、前記光ライン・ターミナルには記憶必要なデータに対しグループ放送のＬＩＮＫ  ＩＤを分配するＬＩＮＫ  ＩＤ分配モジュールがあり、且つ放送方式で全ての光ネットワーク・ユニットに前記記憶必要なータを送る。前記光ネットワーク・ユニット中の少なくとも１個の光ネットワーク・ユニットには、データ内に有る全てのＬＩＮＫ  ＩＤに基づき、光ネットワーク・ユニットへ送った全てのデータの中から記憶必要なデータを決めるデータ決定ユニット、及び前記データ決定ユニットで決められた記憶必要なデータを記憶させる記憶装置等が含まれる。その中の決定された記憶必要なデータには視聴データが含まれる。前記光ライン・ターミナルには更に視聴データ決定モジュールが含まれ、これを以ってＩＰアドレス及び／或いはポート・ナンバーに基づいて該データが視聴データであるか否かを判断する。
【００１３】
本発明は他一種の受動光ネットワーク・システム中の光ネットワーク・ユニットであり、その中の前記受動光ネットワークＰＯＮシステムにはディストリビューション・ネットワークＯＤＮ，光ライン・ターミナルＯＬＴ、及び光ネットワーク・ユニットＯＮＵ等が含まれ、前記光ネットワーク・ユニットには前記ＯＬＴからデータを受取るＯＤＮインタフェース、受け取ったデータからＬＩＮＫ  ＩＤを検出するＯＮＵデータ処理モジュール、及びユーザーにデータを送るユーザー端末等が含まれ、更に前記受取ったデータを記憶する記憶装置が含まれる。前記ＯＮＵデータ処理モジュールは表示と前記記憶装置に記憶されたデータに対応するＬＩＮＫ  ＩＤ情報に基づいて、前記受取ったデータ中の記憶必要なデータを確認する。前記ＯＮＵデータ処理モジュールで確認されたデータを前記記憶装置に記憶させる。ユーザーからデータ送信リクエストがあった場合、前記ユーザー端末は記憶されたデータを発信する。
【００１４】
本発明の受動光ネットワーク・システムの光ネットワーク・ユニットには記憶装置が設けられ、且つこの記憶装置には予め視聴データ等比較的広いバンド幅を占用するデータが記憶されている為、光ネットワーク・ユニット上のユーザーがこれらのデータをリクエストした場合、コア・ネットワークから光ネットワーク・ユニット間の下りバンド幅部分を多数回占用する事無く、比較的広いバンド幅を占用する視聴データ等のデータの重複転送を出来る限り避け、下りバンド幅の利用率を向上させ、流量の渋滞とデータの遅延を減らす事が出来る。
【実施例】
【００１５】
通常、受動光ネットワーク・システム（以下ＰＯＮシステムと略称する）中の多数個の光ネットワーク・ユニット（以下ＯＮＵと略称する）はバンド幅を共有し、そして下り方向の全バンド幅は限られており、この為大量のデータを転送するにあたり必然的に流量の渋滞とデータの遅延が生じ、この為本発明の考案者は研究を重ね一種の受動光ネットワーク・システム中に記憶機能を備える方法と装置を提供して、出来る限り同じデータの重複転送を避け、下りバンド幅の利用率を向上させ、特に視聴データ、大きいデータ・パッケージ等の比較的広いバンド幅を占用するデータの重複転送を出来るだけ避けて、下りバンド幅の利用率を大きく向上させる事が出来る。
【００１６】
（実施形態１）
図１〜４に基づいて具体的に本発明の実施形態１の受動光ネットワーク・システムについて以下に説明する。
図１は本発明の実施形態１の記憶機能を持つ受動光ネットワーク・システム２００の構造フレーム図を表す。ＰＯＮシステム２００にはＩＰＴＶサーバー１０１上に接続されたコア・ネットワーク１０２と接続する光ライン・ターミナル（以下ＯＬＴと略称する）１００、ＯＬＴ  １００に接続される光ディストリビューション・ネットワーク（以下ＯＤＮと略称する）１２０及びＯＤＮ  １２０に接続される多数個の光ネットワーク・ユニット（以下ＯＮＵと略称する）１３０−１，１３０−２、……１３０−Ｎ（Ｎは１より大きい正の整数を表す）（以下ＯＮＵ１３０と総称する）等が含まれる。
【００１７】
その中のＯＤＮ１２０には光分岐器１０９が含まれる。ＯＬＴ  １００は局ターミナルに位置し、ＯＮＵ１３０は当地に置かれ、且つＯＬＴ  １００と光分岐器１０９間に位置する光ファイバを共有する。ＯＬＴ  １００からＯＮＵ１３０の方向は下り方向であり、その逆方向は上り方向に成る。下り方向は放送方式を用いてデータを発信し、上り方向は時分多数アドレス（ＴＤＭＡ）方式でデータを発信する。図１に示す如く、ＯＮＵ１３０中のＯＮＵ（２）  １３０−２には、ＯＤＮ１２０に接続するに用いられるＯＤＮインタフェース１１０−２、及びＯＮＵ業務処理モジュール（即ちＯＮＵデータ処理モジュール）１１１−２、及びエンド・ユーザー（２）１５０−２に接続するに用いられるユーザー端末１１２−２、及びマイクロ・プロセッサ・ユニット（ＭＰＵ）１１３−２、及び内蔵の読み書きメモリ（ＲＡＭ）１１４−２、及びＯＮＵ業務処理モジュール１１２−２に接続された記憶装置１１８−２等が含まれる。
【００１８】
その中のＯＮＵ業務処理モジュール１１２−２には、データ決定ユニットが含まれる。図１に示す如く、データ決定モジュールには、ＩＤフィルター・モジュール１１５−２、ＭＬＤ（Ｍｕｌｔｉｃａｓｔ  Ｌｉｓｔｅｎｅｒ  Ｄｉｓｃｏｖｅｒｙ）（ＲＦＣ  ２７１０）／ＩＧＭＰ（Ｉｎｔｅｒｎｅｔ  Ｇｒｏｕｐ  Ｍａｎａｇｅｍｅｎｔ  Ｐｒｏｔｏｃｏｌ  Ｓｎｏｏｐｉｎｇ）（ＲＦＣ  １０５４）聴取者管理モジュール１１６−２及びコントロール・モジュール１１７−２等のモジュールが含まれる。その中のＩＧＭＰはインターネット・グループ管理協議であり、ＴＣＰ／ＩＰ協議族の１個のサブ協議であり、インターネット・メーン・コンピュータのグループ放送の参加を許し、即ちＩＰメーン・コンピュータは相成るグループ放送のルータにグループ関係の協議を報告するに用いる。インターネット・グループ管理プロトコルＩＧＭＰはＩＧＭＰフォームの報告文を管理し、且つ相応のＩＧＰＭ情報を受け取る。
【００１９】
データ決定ユニットはデータが持つＬＩＮＫ  ＩＤ（以下の文書で詳しく説明する）に基づいて、ＯＮＵ（２）１３０−２へ送信した全てのデータの中から記憶必要なデータを決める。ここで言う″記憶必要なデータ″とは必要に応じて予め規定されたデータ、例えば視聴データ、大きいデータ・パッケージ等の比較的広いバンド幅を占用するデータを指して言う。その後、データ決定ユニットで決められた記憶必要なデータを記憶装置１１８−２に記憶させる。
【００２０】
ＰＯＮシステム２００はＯＮＵ  １３０に設置された記憶装置１８０を通してコア・ネットワーク１０２から来る記憶必要のデータを記憶させる。各ＯＮＵ１３０−１、１３０−２、……１３０−Ｎ上のユーザー１５０−１，１５０−２、……１５０−Ｎ（エンド・ユーザー１５０）が記憶装置中に記憶されたデータをリクエストした場合、再びＩＰＴＶサーバーとコア・ネットワークに重複してこのデータの送信をリクエストする必要が無く、記憶装置中に記憶されたデータを直接エンド・ユーザーに転送する事が出来る。この様にすれば、データの重複転送、特に比較的広いバンド幅を占める視聴データ、大きいデータ・パッケージ等のデータの重複転送を避ける事が出来、且つ下りのバンド幅利用率を向上させ、流量の渋滞とデータの遅延を減らす事が出来る。
【００２１】
図１はＯＮＵ（２）１３０−２の状況について詳しく示しただけで、本発明はこれに限らず、必要に応じてその他のＯＮＵ１３０−１、１３０−３、１３０−４、……１３０−Ｎ中から選んでＯＮＵ（２）１３０−２と同じデータ決定ユニットと記憶装置を設置する事が出来る。図１は１個のＯＮＵに１個のユーザーと接続したケースを示しただけであるが、本発明はこれに限らず、１個のＯＮＵに多数個のユーザーと接続する事も出来る。
【００２２】
次に図２Ａ〜図２Ｃに基づいてＯＮＵ（２）１３０−２へ発信するデータの持つＬＩＮＫ  ＩＤについて以下に述べる。
【００２３】
図２Ａは下り速度１５５．５２ＭｂｐｓのＡＴＭに基づいたＰＯＮ（ＡＰＯＮ）システムの下りデータのフレーム構造図を表し、２８個ＡＴＭ送信元毎に１個の物理層ＯＡＭ（ＰＬＯＡＭ）が挿入され、１フレーム５６セルには２個の物理層ＰＬＯＡＭ送信元が含まれる。
【００２４】
図２Ａに示す如く、下りのＡＰＯＮフレームにはＰＬＯＡＭ  ２０１とＡＴＭ送信元２０２の両部分が含まれる。ＡＴＭ送信元には汎用流量制御（ＧＦＣ）２０３、仮想パス識別子（ＶＰＩ）２０４、仮想チャンネル識別子（ＶＣＩ）２０５、ペイロード・タイプ識別子（ＰＴＩ）２０６、セル・ロス優先度表示（ＣＬＰ）２０７、ヘッダー誤り制御（ＨＥＣ）２０８と有効負荷２０９等が含まれる。その中の仮想パス識別子（ＶＰＩ）２０４は異なるＯＮＵの接続を区別するのに用いる。
【００２５】
図２Ｂは下り速度１．２５Ｇｂｐｓのエーテルネットに基づいたＰＯＮ（ＥＰＯＮ）システムの下りデータのフレーム構造図を表し、多数点制御協議（ＭＰＣＰ）２２１は下りフレームの頭部に位置し、異なるエーテルネット・フレーム２２３の間にフレーム・ギャップ（ＩＦＧ）２２２が挿入される。
【００２６】
図２Ｂに示す如く、エーテルネット・フレームには目的アドレス（ＤＡ）２２５、ソース・アドレス（ＳＡ）２２６、長さ／類型２２７、データ２２８、フレーム・シークエンス検査（ＦＣＳ）２２９とフレーム・ヘッド識別子（ＳＦＤ）のガイド・ナンバー２２４等が含まれる。ガイド・ナンバー２２４には４バイトの０ｘ５５  ２３０、ＳＦＤ  ２３１、ロジック・ライン識別子（ＬＬＩＤ）２３２と巡回冗長検査（ＣＲＣ）２３３等が含まれる。その中のロジック・ライン識別子（ＬＬＩＤ）２３２は異なるＯＮＵの接続を区別するのに用いる。
【００２７】
図２Ｃは下り速度２．４ＧｂｐｓのＧＰＯＮシステムの下りデータのフレーム構造図を表し、その中の下り物理層制御モジュール（ＰＣＢｄ）２４１は１２５μｓを周期とするペイロード（Ｐａｙｌｏａｄ）２４２中に挿入される。
【００２８】
図２Ｃに示す如く、前記ペイロード２４２にはＡＴＭ送信元２４３とＧＥＭ時分再利用とデータ区間２４４等が含まれる。データ区間２４４にはＧＰＯＮフレーム法の（ＧＥＭ）ヘッダー２４６とフレーム断片或いはフレーム全体２４７を含む。そしてＧＰＯＮフレーム法の（ＧＥＭ）ヘッダー２４６にはペイロード・レングス識別子（ＰＬＩ）２４８、ポート・ナンバー２４９、ペイロード・タイプ識別子（ＰＴＩ）２５０とヘッダー誤り制御（ＨＥＣ）２５１等が含まれる。その中の、図に示されていないＡＴＭ送信元の仮想パス識別子（ＶＰＩ）とポート・ナンバー２４９は異なるＯＮＵの接続を区別するのに用いる。
【００２９】
上記の如く、ここで言う″ＬＩＮＫ  ＩＤ″とは、ＯＮＵの唯一性或いは業務接続の唯一性識別符号を表し、１個のＰＯＮシステム中の異なるＯＮＵ或いは異なる業務接続は異なるＬＩＮＫ  ＩＤを持つ。ＬＩＮＫ  ＩＤは点から多数点構造のＰＯＮシステムに応用され、これを以って下り方向の放送方式の転送において特定のＯＮＵが自分に属するデータのみを受信する事が保証される。
【００３０】
この為、ＡＰＯＮシステム中のＬＩＮＫ  ＩＤは仮想パス識別子（ＶＰＩ）２０４を用いて表示する。ＥＰＯＮシステム中のＬＩＮＫ  ＩＤはロジック・ライン識別子（ＬＬＩＤ）２３２を用いて表示する。ＧＰＯＮシステム中のＬＩＮＫ  ＩＤは仮想パス識別子（ＶＰＩ）とポート・ナンバー（Ｐｏｒｔ  ＩＤ）２４９で表示される。
【００３１】
次に図３と図４に基づいて例を挙げてデータ決定ユニットについて説明し、そして本発明のＯＮＵ中のデータ決定ユニットはこれだけに限らず、必要に応じて変化させる事が出来る。
【００３２】
先ず以下の３個のグループ放送に関する概念に付いて説明する。
（１）グループ放送のＬＩＮＫ  ＩＤにおけるグループ放送はＯＳＩ（相互連結の開放システム）協議の第２層（データ・ライン・パス層）に基づいたものである。図２Ｂに示したＥＰＯＮシステムを例にすると、ＥＰＯＮシステム中のグループ放送のＬＩＮＫ  ＩＤとしてのＬＬＩＤ２３２は２層フレーム構造中のガイド・ナンバー２２４の２個の４バイトである。
（２）グループ放送のグループにおけるグループ放送はＯＳＩ協議の第３層（ネットワーク層）に基づいたものである。
（３）グループ放送のＩＰＴＶデータにおけるグループ放送はＯＳＩ協議の第７層（応用層）に基づいたものである。ＩＰＴＶデータは一種の応用の為、グループ放送の概念は応用層に基づいたものとなる。
【００３３】
図３は本発明の実施形態１の記憶機能を持つＰＯＮシステムの基本情報の転送図を表す。ＩＰＴＶサーバー１０１はユーザーのＩＰＴＶリクエストに答え、ユーザーにＩＰＴＶデータ（例えば視聴データ）を送り、このＩＰＴＶデータはＰＯＮを通して転送され、最後にエンド・ユーザー１５０に到着する。データは放送方式でＯＬＴ１００から下り方向へ多数個のＯＮＵ１３０に到達する。図１に示すＯＮＵ（２）１３０−２を例にすると、データがＯＮＵ（２）１３０−２に到達した際、ＯＮＵ（２）１３０−２のＩＤフィルター・モジュール１１５−２は全てのデータから、例えば図４Ａに示すＬＩＮＫ  ＩＤ比較表を参照し、データが持つＬＩＮＫ  ＩＤに基づいてＯＮＵ（２）１３０−２の受入れ可能なデータを選択する。
【００３４】
ＯＮＵ（２）１３０−２のＩＤフィルター・モジュール１１５−２で選択されないデータは放棄される。ＩＤフィルター・モジュール１１５−２で選択されたデータ（即ちＯＮＵ（２）１３０−２に発信されるデータと判断されたデータ）はＯＮＵ（２）１３０−２のコントロール・モジュール１１７−２に発信される。コントロール・モジュール１１７−２は予め決められた規則に基づいてこのデータが記憶必要であるか否かを決める、例えばデータのＩＰアドレス及び／或いはポート・ナンバーに従ってこのデータが視聴データと判断された場合、このデータを記憶必要のデータに決め、その後記憶装置１１８−２に記憶させる。
【００３５】
次に例を挙げてＯＮＵ（２）１３０−２のコントロール・モジュール１１７−２の制御データの記憶プロセスについて説明する。当然ながら本発明はこれだけに限らず、必要に応じて変化させる事が出来る。
【００３６】
ＯＮＵ（２）１３０−２のＩＤフィルター・モジュール１１５−２で選択されたデータが単一放送のＬＩＮＫ  ＩＤで有ると判断された場合、このデータはＯＮＵ（２）１３０−２のコントロール・モジュール１１７−２に送られる。
【００３７】
コントロール・モジュール１１７−２は後で述べるユーザー・リクエスト・リストを通して検査し、ＯＮＵ（２）１３０−２のエンド・ユーザー（２）１５０−２がこのデータをリクエストしたか否かを判断する。若しユーザー（２）１５０−２がこのデータをリクエストした場合、このデータは直接ユーザー（２）１５０−２に転送される。この時、このデータを記憶しない事も出来、転送すると同時にこのデータを記憶させる事も出来、且つ後で述べる内容比較表を更新する。若しユーザー（２）１５０−２がこのデータをリクエストしていない場合、このデータはＯＮＵの記憶装置１１８−２に記憶され、且つ内容比較表中の後で述べる前記データ記憶リストを更新する。
【００３８】
若しＯＮＵ（２）１３０−２のＩＤフィルター・モジュール１１５−２でこのデータにグループ放送のＬＩＮＫ  ＩＤが有ると判断された場合、このデータはＭＬＤ／ＩＧＭＰの聴取者管理モジュール１１６−２に発信され、ＯＮＵ（２）１３０−２がこのデータのグループ放送のグループに属するか否かを判断する。若しＭＬＤ／ＩＧＭＰの聴取者管理モジュール１１６−２で判断されたＯＮＵ（２）１３０−２がこのグループのグループ放送に属しないと判断された場合、このデータはＯＮＵの記憶装置に記憶され、且つコントロール・モジュール１１７−２中のデータ記憶リストの内容を更新する。若しＭＬＤ／ＩＧＭＰの聴取者管理モジュール１１６−２で判断されたＯＮＵ（２）１３０−２がこのグループ放送のグループに属するデータであると判断された場合、ユーザーがこのデータをリクエストしたか否かを判断し、若しユーザーがこのデータをリクエストした場合、このデータは直接ユーザーへ転送され、この時、このデータを記憶しない事も出来、転送すると同時にこのデータを記憶させる事も出来、且つ内容比較表を更新する。若しユーザーがこのデータをリクエストしてない場合、このデータはＯＮＵの記憶装置に記憶され、且つ内容比較表中のデータ記憶リストの内容を更新する。
【００３９】
次に例を挙げて本発明の実施形態１の光ネットワーク・ユニットが持つ幾種類の表形式について以下に説明する。
【００４０】
図４Ａは本発明の実施形態１の受動光ネットワーク・システムの光ネットワーク・ユニットのＩＤフィルター・モジュール中のＬＩＮＫ  ＩＤ比較表の一例を表す。
【００４１】
図４Ａに示す如く、ＩＤフィルター・モジュール１１５にはＬＩＮＫ  ＩＤ比較表１２０が含まれ、ＬＩＮＫ  ＩＤ比較表１２０には″データ・リスト″、″データ対応のＬＩＮＫ  ＩＤ″と″ＯＮＵに記憶されるか否か″等の３項目が含まれる。その中の″データ・リスト″にはＯＮＵに到達した全てのデータが保存される。″データ対応のＬＩＮＫ  ＩＤ″にはＯＮＵに到達した全てのデータ・ヘッダー部のＬＩＮＫ  ＩＤ値が保存される。″ＯＮＵに記憶されるか否か″はデータがＯＮＵに記憶出来るか否かを表示する。
【００４２】
図４Ｂは本発明の実施形態１の受動光ネットワーク・システムの光ネットワーク・ユニットのデータ決定ユニット中のＩＰアドレス／ポート・ナンバー比較表の一例を表す。
【００４３】
図４Ｂに示す如く、データ決定ユニットには又もＩＰアドレス／ポート・ナンバー比較表１２１が含まれ、ＩＰアドレス／ポート・ナンバー比較表１２１には″データ・リスト″、″データ対応のＩＰアドレス／ポート・ナンバー″と″ＯＮＵに記憶出来るか否か″等の３項目が含まれる。その中の″データ・リスト″にはＯＮＵに到達した全てのデータが保存される。″データ対応のＩＰアドレス／ポート・ナンバー″にはＯＮＵに到達した全てのデータ・ヘッダー部のＩＰアドレス／ポート・ナンバー値が保存される。″ＯＮＵに記憶出来るか否か″はデータがＯＮＵに記憶出来るか否かを表示する。
【００４４】
図４Ｃは本発明の実施形態１の受動光ネットワーク・システムの光ネットワーク・ユニット中のコントロール・モジュールの内容比較表を表す。図４Ｄは本発明の実施形態１の受動光ネットワーク・システムの光ネットワーク・ユニット中の記憶装置の内容リストを表す。
【００４５】
図４Ｃと図４Ｄに示す如く、コントロール・モジュール１１７には内容比較表１１９が含まれ、内容比較表１１９にはユーザー・リクエスト表とデータ記憶リスト等の２項目が含まれる。ユーザー・リクエスト表にはユーザーのリクエスト情報が保存される。データ記憶リストには記憶装置に記憶されたデータ情報が保存される。内容比較表１１９中に記憶されたリクエストとデータはユーザーのリクエストと記憶装置に記憶されたデータの更新によって更新され、これによって内容比較表１１９の検査を通してユーザーがデータをリクエストしたか否か、ユーザーのリクエストしたデータが記憶装置に記憶されたか否かを確定する事が出来る。
【００４６】
例を挙げて以下に説明する、エンド・ユーザー１５０が新しいリクエストを発信した場合、内容比較表１１９のユーザー・リクエスト・リストには１本の記録が増え、若しエンド・ユーザー１５０がリクエストの内容を受取った場合は、このリクエスト記録が削除される。記憶装置１１８に新しいデータが記録された場合、内容比較表１１９のデータ記憶リストに１本の新しく記録された新しいデータが増える。次に例を挙げて記憶されたデータをユーザーに転送する状況について説明する、但し本発明はこれだけに限らない。
【００４７】
ＯＮＵ（２）１３０−２のエンド・ユーザー（２）１５０−２がＩＰＴＶサーバー１０１に対しＩＰＴＶのリクエストを行う前に、権利鑑定モジュール（図に未表示）に依ってユーザーが合法であるか否かを判断し、ユーザーが非合法である場合は、このユーザーを当面の受動光ネットワーク・システムに接続させるのを禁ずる。前記権利鑑定モジュールはＯＮＵに設置する事が出来、ＯＬＴ，ＩＰＴＶに設置する事も出来る。
【００４８】
ＯＮＵ（２）１３０−２のエンド・ユーザー（２）１５０−２がＩＰＴＶサーバー１０１に対しＩＰＴＶのリクエストを行った場合、このリクエスト情報はＯＮＵ業務処理モジュール１１１−２によって分析され、且つ内容比較表１１９のデータ記憶リストを通して比較検査を行ってユーザーのリクエスト・データが既にＯＮＵ（２）１３０−２に設置された記憶装置１１８−２に記憶されているか否かを判断する。もしこのデータが既に記憶装置１１８−２に記憶されている場合は、記憶装置１１８−２に記憶されているデータを直接エンド・ユーザー（２）１５０−２に転送する。もしこのデータが記憶装置１１８−２に記憶されていない場合は、ユーザーのリクエストを相応のコア・ネットワークとＩＰＴＶサーバーへ送る。
【００４９】
（実施形態２）
図５〜図８に基づいて具体的に本発明の実施形態２の受動光ネットワーク・システム中のデータの記憶方法について以下に説明する。  
【００５０】
図５は下り方向のデータ中の記憶必要なデータをＯＮＵ記憶装置に記憶させ、且つユーザーのリクエストに依って記憶されたデータを転送するフローチャートを表す。
【００５１】
先ず予め決められた規則に従って、データのＬＩＮＫ  ＩＤに基づいて、送って来た全てのデータから、例えば視聴データ、大きなデータ・パッケージ等比較的広いバンド幅を占用するデータを記憶必要のデータとして判断する（ステップ５０１）。その後、前に決められた記憶必要なデータをＯＮＵ１３０の記憶装置１１８中に記憶させる（ステップ５０２）。若しＯＮＵ１３０上に接続されたユーザー１５０が記憶装置１１８中に記憶されたデータをリクエストした場合は、記憶されたデータを直接ユーザー１５０に転送し、再びサーバー（例えばＩＰＴＶサーバー１０１）にこのデータをリクエストし、且つコア・ネットワーク１０２を経てＯＮＵ１３０に発信する必要がなくなる、これによってデータの重複転送を避け、下りの広いバンド幅の利用率を向上させ、流量の渋滞とデータの遅延を減らす事が出来る。
【００５２】
図６はＯＮＵ１３０に送られて来たデータを選択し、記憶必要なデータを決め且つ記憶装置１１８に相応する位置に記憶させるフローチャートを表し、図５のステップ５０１と５０２に対応する。
【００５３】
まず、データがＯＮＵへ送られた際、ＩＤフィルター・モジュール１１５はデータが持つＬＩＮＫ  ＩＤ  に基づいてこのデータがＯＮＵに受け取り可能か否かを判断し、即ち全てのデータからＯＮＵに受け取り可能なデータを選び出す（ステップ６０１）。若しＩＤフィルター・モジュール１１５でデータがＯＮＵに受け取り不可のデータであると判断された場合、このデータは放棄され（ステップ６０３）、スタートへ戻る。若しＩＤフィルター・モジュール１１５でステップ６０１のデータがＯＮＵに受け取り可能なデータであると判断された場合、ＩＤフィルター・モジュール１１５はこのデータのＬＩＮＫ  ＩＤがグループ放送のＬＩＮＫ  ＩＤであるか否かを判断する（ステップ６０２）。若しこのデータのＬＩＮＫ  ＩＤがグループ放送のＬＩＮＫ  ＩＤであると判断された場合は、このデータをＭＬＤ／ＩＧＭＰ聴取者管理モジュール１１６へ送り、ＭＬＤ／ＩＧＭＰ聴取者管理モジュール１１６は当面のＯＮＵがこのデータに属するグループ放送のグループであるか否かを判断する（ステップ６０４）。若し当面のＯＮＵがこのグループ放送のグループに属さない場合、ステップ６０８へ進む。若しステップ６０２でこのデータのＬＩＮＫ  ＩＤがグループ放送のＬＩＮＫ  ＩＤでなく単独放送のＬＩＮＫ  ＩＤであると判断された場合は、ステップ６０５へ進む。ステップ６０５には、コントロール・モジュール１１７でユーザーがこのデータをリクエストしたか否かを判断する。若しこのデータがリクエストされた場合は、このデータを直接ユーザーへ転送する（ステップ６０６）、その後、ユーザー・リクエスト・リストを更新する（ステップ６０７）。この時、同時にこのデータを記憶装置に記憶させる事が出来、このデータを記憶させない事も出来る。若しステップ６０５でこのデータがリクエストされていないと判断された場合は、ステップ６０８へ進む。
【００５４】
ステップ６０８は、予め決められた規則に従ってこのデータが記憶必要のデータであるか否かを決める。例えばデータのＩＰアドレス及び／或いはポート・ナンバーに基づいてこのデータが視聴データであるか否かを判断し、若し視聴データである場合はそれを記憶必要なのデータとして決める。若しこのデータが記憶必要のないデータである場合はステップ６０６へ進む。若しこのデータが記憶必要のデータである場合は、このデータを記憶装置１１８に記憶させ（ステップ６０９）、その後、データ記憶リストを更新する。
【００５５】
図７はエンド・ユーザーがＯＮＵ記憶装置中のデータに直接アクセスするフローチャートを表し、図５のステップ５０３に対応する。
【００５６】
図７に示す如く、先ずユーザーから権利鑑定情報を送り（ステップ６０１）、権利鑑定モジュール（図に未表示）で権利鑑定を行い、判断した結果をＯＮＵ業務処理モジュール１１１へ送る（ステップ７０２）。若し権利鑑定が不成功に終わった場合はスタートへ折り返す。若し権利鑑定に成功した場合はステップ７０３へ進む。
【００５７】
ステップ７０３は、ユーザーがＩＰＴＶサーバーにＩＰＴＶリクエストを送り（ステップ７０３）、そしてユーザーから発信したＩＰＴＶリクエストがＯＮＵのコントロール・モジュール１１７に受取られ（ステップ７０４）、その後ステップ７０５へ進む。
【００５８】
ステップ７０５は、コントロール・モジュール１１７が内容比較表１１９中のデータ記憶リストの検査を通して、ＯＮＵ中の記憶装置１１８にユーザーのリクエストされたデータが記憶されているか否かを判断する。若しこのデータが記憶されていない場合は、内容比較表中のユーザー・リクエスト・リストを更新（ステップ７０６）した後、ユーザーのリクエスト情報をＯＬＴとＩＰＴＶサーバーへ送って、このデータをリクエストする（ステップ７０７）。
【００５９】
ステップ７０５で記憶装置１１８にこのデータが記憶されていると判断された場合は、ユーザーのリクエストしたデータ情報をＩＰＴＶサーバー１０１に転送通知（ステップ７０８）すると同時に、記憶装置１１８に記憶されたデータを直接ユーザーに転送し（ステップ７０９）、且つ内容比較表中のユーザー・リクエスト・リストを更新（ステップ７１０）し、その後スタートに戻る。
【００６０】
その外に、ステップ７０２中のエンド・ユーザーに対する権利鑑定処理は別々にＯＮＵ，ＯＬＴとＩＰＴＶサーバー上で処理を行う事が出来る。例を挙げてこの権利鑑定処理について以下に述べる。
【００６１】
図８Ａはエンド・ユーザーがＯＮＵ（２）１３０−２で権利鑑定処理を行うプロセスを表す。ユーザーの権利鑑定情報は直接ＯＮＵ（２）１３０−２に送られ、その後ＯＮＵ（２）１３０−２からユーザーに権利鑑定の成功情報を送り且つユーザーにＩＰＴＶリクエストの許可情報を送る。図８Ａその他部分の情報の流れは図３と同じの為、ここではその詳細説明を省略する。
【００６２】
図８Ｂはエンド・ユーザーがＯＬＴ１００で権利鑑定を行うプロセスを表す。ユーザーの権利鑑定情報はＯＬＴ  １００に送られ、その後ＯＬＴ  １００からユーザーへ権利鑑定の成功情報を送り且つユーザーにＩＰＴＶリクエストの許可情報を送る。同時にＯＬＴ  １００はＯＮＵ（２）１３０−２へ権利鑑定に成功した情報を通知し、これによってＯＮＵ（２）１３０−２はユーザー（２）１５０−２から来るＩＰＴＶリクエストを処理する事が出来る。図８Ａのその他部分の情報の流れは図３と同じである。
【００６３】
図８Ｃはエンド・ユーザーがＩＰＴＶサーバー１０１で権利鑑定の処理を行うプロセスを表す。ユーザーの権利鑑定情報はＩＰＴＶサーバー１０１に送られ、その後ＩＰＴＶサーバー１０１からユーザーへ権利鑑定の成功情報を送り且つユーザーにＩＰＴＶリクエストの許可情報を送る。同時にＩＰＴＶサーバー１０１はＯＮＵ（２）１３０−２へ権利鑑定に成功した情報を通知し、これによってＯＮＵ（２）１３０−２はユーザー（２）１５０−２から来るＩＰＴＶリクエストを処理する事が出来る。図８Ａのその他部分の情報の流れは図３と同じである。
【００６４】
以上のユーザーの権利鑑定処理を通して、非法ユーザーがＰＯＮシステムに接続してＩＰＴＶのデータを受け取るのを禁止する。
【００６５】
（実施形態３）
図９〜図１１に基づいて具体的に本発明の実施形態３のＰＯＮシステム中のＯＬＴについて以下に説明する。
【００６６】
図９はデータに対しグループ放送のＬＩＮＫ  ＩＤを分配するグループ放送ＬＩＮＫ  ＩＤ分配モジュールを有するＯＬＴ１００の構造フレーム図を表す。ＯＬＴ１００には主にＯＤＮインタフェース１０５、ＯＬＴ機能処理モジュール１０４、業務端末１０３、マイクロ・プロセス・ユニット（ＭＰＵ）１０６及び内蔵読み書きメモリ（ＲＡＭ）１０７等が含まれる。前記ＯＬＴ機能処理モジュール１０４にはグループ放送のＬＩＮＫ  ＩＤ分配モジュール１０８が含まれ、これを以って記憶必要なデータ（例えば視聴データ、大きなデータ・パッケージ等比較的広いバンド幅を占用するデータ）にグループ放送のＬＩＮＫ  ＩＤを分配する。ＯＬＴ機能処理モジュール１０４がＩＰＴＶサーバーから来る記憶必要なデータを検出した場合、１個のグループ放送のＬＩＮＫ  ＩＤをこのデータに分配し、且つ放送方式で全てのＯＮＵにこのデータを送る。
【００６７】
この様にすれば、全ての記憶必要なデータに１個のグループ放送のＬＩＮＫ  ＩＤが保証され、ＩＰＴＶサーバーから送るデータがグループ放送方式であっても単一放送方式であっても下りへ送り、全ての記憶必要なデータがＰＯＮシステム中の全てのＯＮＵに受け取られ、且つ記憶装置に設置されたＯＮＵに選択させて相応の記憶装置に記憶させる。これによって視聴データ、大きなデータ・パッケージ等の比較的広いバンド幅を占用するデータの重複転送を避け下りバンド幅の利用率を向上させる事が出来る。
【００６８】
図１０はＯＬＴ１００が記憶必要なデータ、例えば視聴データに１個のグループ放送のＬＩＮＫ  ＩＤを分配するフローチャートを表す。
【００６９】
図１０に示す如く、ステップ３０４は、予め決められた規則に従って送られたデータ中から記憶必要なデータを決め、例えば、データのＩＰアドレス及び／或いはポート・ナンバーに基づいて全てのデータの中から視聴データを記憶必要なデータに決める。ステップ３０５は、決定された記憶必要なデータに対し１個のグループ放送のＬＩＮＫ  ＩＤを分配する。ステップ３０６は、グループ放送のＬＩＮＫ  ＩＤを分配された全てのデータは放送方式でＰＯＮシステム中の全てのＯＮＵに送る。
【００７０】
図１１のＯＬＴ１００には記憶必要なデータに対しグループ放送のＬＩＮＫ  ＩＤを分配するグループ放送のＬＩＮＫ  ＩＤ分配モジュール１０８があり、且つＯＮＵ１３０は記憶装置１１８を持つＰＯＮシステムの基本情報を転送する図を表す。図３と比較すると、図１１にただ１個の異なる点がある、即ち図１１中のＯＬＴ１００部分にはグループ放送のＬＩＮＫ  ＩＤ分配モジュール１０８が有る。従って、ＩＰＴＶサーバーから送られたＩＰＴＶデータはＯＬＴ  １００を通過した場合、グループ放送のＬＩＮＫ  ＩＤ分配モジュール１０８はこのデータに１個のグループ放送のＬＩＮＫ  ＩＤを分配し、この様にすればＰＯＮシステムを通過するＩＰＴＶデータは皆グループ放送のＬＩＮＫ  ＩＤを以って下り、そして全てのＯＮＵ１３０に到達し、且つＯＮＵ１３０に受取られる事が出来る。図１１のその他の部分は図３と同じである。
【００７１】
以上本発明の実施形態１〜３について詳しく説明した、但し本発明はこれだけに限らず、本領域の技術者は必要に応じて修正を行う事が出来る。
【００７２】
本発明はＰＯＮシステム中に記憶装置を有するＯＮＵを用い、ＯＮＵの記憶装置を通して、例えば視聴データ、大容量データ・パッケージ等広いバンド幅を占用するデータ等の記憶必要なデータを記憶し、そしてＩＰＴＶサーバーとコア・ネットワークを通して再びこのデータを送る必要が無く、直接この記憶されたデータをリクエストしたユーザーに転送され、これによって、下り方向のデータの重複転送を減らし、下りの広いバンド幅の利用率を向上させ、視聴業務の反響時間を改善する。
【図面の簡単な説明】
【００７３】
【図１】本発明の実施形態１の記憶機能を持つ受動光ネットワーク・システムの構造フレーム図を表す。
【図２Ａ】ＡＴＭを基にした受動光ネットワーク（Ａ―ＰＯＮ）システムの下りデータのフレーム構造図を表す。
【図２Ｂ】エーテルネットを基にした受動光ネットワーク（Ｅ―ＰＯＮ）システムの下りデータのフレーム構造図を表す。
【図２Ｃ】ジュピター受動光ネットワーク（Ｇ―ＰＯＮ）システムの下りデータのフレーム構造図を表す。
【図３】本発明の実施形態１の記憶機能を持つ受動光ネットワーク・システムの基本情報の転送図を表す。
【図４Ａ】本発明の実施形態１の受動光ネットワーク・システムの光ネットワーク・ユニットのＩＤフィルター・モジュール中のＬＩＮＫ  ＩＤ比較表を表す。
【図４Ｂ】光ネットワーク・ユニットのデータ決定ユニット中のＩＰアドレス／ポート・ナンバー比較表を表す。
【図４Ｃ】光ネットワーク・ユニット中のコントロール・モジュールの内容比較表を表す。
【図４Ｄ】光ネットワーク・ユニット中の記憶装置の内容リストを表す。
【図５】本発明の実施形態２中の下りデータをＯＮＵ記憶装置に記憶させるフローチャートを表す。
【図６】本発明の実施形態２のＯＮＵ中のデータを選択し且つ記憶装置に対応する位置に記憶させるフローチャートを表す。
【図７】本発明の実施形態２のエンド・ユーザーが直接ＯＮＵ記憶装置中のデータにアクセスするフローチャートを表す。
【図８Ａ】本発明の実施形態２のエンド・ユーザーがＯＮＵで権利鑑定を行うプロセスを表す。
【図８Ｂ】本発明の実施形態２のエンド・ユーザーがＯＬＴで権利鑑定を行うプロセスを表す。
【図８Ｃ】本発明の実施形態２のエンド・ユーザーがＩＰＴＶサーバーで権利鑑定を行うプロセスを表す。
【図９】本発明の実施形態３の記憶必要なデータを１個のグループ放送のＬＩＮＫ  ＩＤに分配する機能を持つＯＬＴの構造フレーム図を表す。
【図１０】本発明の実施形態３のＯＬＴ部分が視聴データに１個のグループ放送のＬＩＮＫ  ＩＤを分配するフローチャートを表す。
【図１１】本発明の実施形態３のＯＬＴは記憶必要なデータに１個のグループ放送のＬＩＮＫ  ＩＤを分配する機能を持ち、ＯＮＵは記憶装置を持つＰＯＮシステムの基本情報を転送する図を示す。
【図１２】現有技術の基本的な受動光ネットワークの構造図を表す。
【図１】
2007274684.tif 000003
【図２Ａ】
2007274684.tif 000004
【図２Ｂ】
2007274684.tif 000005
【図２Ｃ】
2007274684.tif 000006
【図３】
2007274684.tif 000007
【図４Ａ】
2007274684.tif 000008
【図４Ｂ】
2007274684.tif 000009
【図４Ｃ】
2007274684.tif 000010
【図４Ｄ】
2007274684.tif 000011
【図５】
2007274684.tif 000012
【図６】
2007274684.tif 000013
【図７】
2007274684.tif 000014
【図８Ａ】
2007274684.tif 000015
【図８Ｂ】
2007274684.tif 000016
【図８Ｃ】
2007274684.tif 000017
【図９】
2007274684.tif 000018
【図１０】
2007274684.tif 000019
【図１１】
2007274684.tif 000020
【図１２】
2007274684.tif 000021